(57)【特許請求の範囲】
【請求項１】
被検眼に向けて投影されたアライメント指標の像を検出する検出手段と、その検出結果に基づいてアライメント状態の適否を判定するアライメント判定手段と、該アライメント判定手段の判定結果に基づいて測定開始のトリガ信号を発生するトリガ信号発生手段とを備え、被検眼に対して測定手段をアライメントする眼科装置において、前記トリガ信号の発生により測定を開始し、所定の複数回の測定結果を得る測定の実行を制御する測定制御手段と、該所定の複数回の測定結果が得られると前記トリガ信号の発生を禁止する禁止手段と、該禁止手段によりトリガ信号の発生が禁止されているときに、前記検出手段によりアライメント指標像の検出の有無を監視する監視手段と、該監視手段によりアライメント指標像が所定の時間内に検出されないときは前記禁止手段により禁止されたトリガ信号の発生の禁止を解除する解除手段と、を有することを特徴とする眼科装置。
【発明の詳細な説明】
【０００１】
【発明の属する技術分野】
本発明は、被検眼を測定する眼科装置に関する。
【０００２】
【従来の技術】
眼屈折力測定装置や角膜曲率測定装置等の眼科装置は、被検眼に対して装置を所定の位置関係にアライメント調整して測定を行う。この種の装置には、アライメント状態を検出する検出機構を設け、その検出結果に基づいて所定のアライメント状態になったらトリガ信号を発して自動的に測定を開始するようにしたものが提案されている。
【０００３】
ところで、通常、測定は同一被検眼で複数回の測定を行い、その平均値や中間値を取るという処理を行うので、自動的に測定を開始するようにした装置の場合には、所定の測定回数まで連続して測定を行うようにしている。
【０００４】
また、この種の眼科装置の中には、装置を移動すべき方向等を観察用のＴＶモニタ上に表示するようにしたものも提案されている。
【０００５】
【発明が解決しようとする課題】
しかし、所定の回数の測定を連続して測定を行うようにした装置の場合、連続測定の終了後、再度同一被検眼で測定を行う必要があるときには、別途測定開始のためスイッチを押さなければならないという欠点があった。また、自動的に測定を開始するようにしたにも拘らず、測定開始用のスイッチを用意する必要があった。測定開始用スイッチは、検者の操作により被検眼に対して装置を移動するためのジョイスティックに設けるのが一般的であるが、これに電気配線を行うことは断線等のトラブルになりやすい。
【０００６】
また、アライメント調整において、ジョイスティックの操作により装置を移動すべき方向の指示は、アライメント調整中に見易く、装置に慣れていない検者でも移動すべき方向が分かり易いものが望ましい。
【０００７】
本発明は、上記従来技術に鑑み、予め設定された測定回数が終了した後にも、スイッチ操作をすることなく自動的に測定を開始することが可能な眼科装置を提供することを技術課題とする。
【０００８】
また、装置を移動する方向の表示が分かり易く、表示のための製造上のコストを抑えることができる眼科装置を提供することを技術課題とする。
【０００９】
【課題を解決するための手段】
上記課題を解決するために、本発明は次のような構成を有することを特徴としている。
【００１０】
【課題を解決するための手段】
（１）  被検眼に向けて投影されたアライメント指標の像を検出する検出手段と、その検出結果に基づいてアライメント状態の適否を判定するアライメント判定手段と、該アライメント判定手段の判定結果に基づいて測定開始のトリガ信号を発生するトリガ信号発生手段とを備え、被検眼に対して測定手段をアライメントする眼科装置において、前記トリガ信号の発生により測定を開始し、所定の複数回の測定結果を得る測定の実行を制御する測定制御手段と、該所定の複数回の測定結果が得られると前記トリガ信号の発生を禁止する禁止手段と、該禁止手段によりトリガ信号の発生が禁止されているときに、前記検出手段によりアライメント指標像の検出の有無を監視する監視手段と、該監視手段によりアライメント指標像が所定の時間内に検出されないときは前記禁止手段により禁止されたトリガ信号の発生の禁止を解除する解除手段と、を有することを特徴とする。
【００１７】
【実施例】
以下、本発明の一実施例を図面に基づいて説明する。図１は実施例の装置の外観概略図を示す図である。１は基台であり、基台１には被検者の顔を固定するための顔固定ユニット２が固設されている。顔固定ユニット２には顎台２ａが上下動可能に支持されており、顎台ノブ２ｂを回すことにより顎台２ａを上下させ被検眼の高さ位置を調節することができる。
【００１８】
３は本体部、４は後述する光学系を収納した測定部である。５は本体部３と測定部４を移動するためのジョイスティックであり、ジョイスティック５の操作により本体部３は基台１の水平面上を前後（Ｚ方向）及び左右方向（Ｘ方向）に摺動し、ジョイスティック５に設けられた回転ノブ５ａの操作により、測定部４は本体部３に対して上下方向（Ｙ方向）に移動する。
【００１９】
基台１に対する本体部３の移動は、ジョイスティック５の軸の下方に形成された球面部および下端部と、下端部が揺動する摺動板と、摺動板と接し基台１に貼り付けされた摩擦板と、本体部３と一体のハウジング３ａ内部の球軸受けの構成により水平方向の微動が実現される（図２参照）。また、本体部３に対する測定部４の上下動は、ジョイスティック５の外周上部の回転ノブ５ａと、回転ノブ５ａと共に回転するスリット板と、スリット板を挟み軸に設けられた光源および受光素子とにより、受光素子の信号から回転ノブ５ａの回転方向および回転量を検出し、その検出結果に基づいて測定部４を上下動させるＹ方向移動機構のモータを駆動制御することによって行われる。このジョイスティック機構の詳細については、本出願人による特開平６−７２９２号に記載されているので、これを参照されたい。
【００２０】
また、測定部４は自動アライメントのために本体部３に対して左右方向と上下方向に移動するようになっている。左右方向の移動はスライド機構とモ−タ等から構成されるＸ方向移動機構によりなされる（後述する）。
【００２１】
６は被検眼像や検者に報知する情報を表示するＴＶモニタである。７はジョイスティック５の頂部に設けられた測定開始スイッチである。
【００２２】
図３は実施例の装置の光学系を上から見たときの概略配置図である。装置の光学系を測定光学系、固視標光学系、アライメント指標投影光学系および観察光学系に分けて説明する。
【００２３】
（測定光学系）  １１は赤外領域に波長を持つ２個の測定用光源であり、光軸を中心に回動可能に配置されている。１２は集光レンズであり、その前側焦点位置に光源１１が位置する。１３は測定用指標（スポット開口）を有し、被検眼Ｅの眼底と共役な位置に配置されるべく移動可能な測定用タ−ゲット板である。１４は後述する第１指標投影光学系の光軸と同軸にするビ−ムスプリッタである。１５は投影レンズであり、投影レンズ１５は被検眼眼底に測定用指標を投影する。１６、１７はビ−ムスプリッタである。１８、１９はリレ−レンズ、２０は被検眼Ｅの角膜と共役な位置に配置されている帯状の角膜反射除去マスク、２１はタ−ゲット板１３とともに移動する移動レンズ、２２は結像レンズである。２３は測定用受光素子であり、受光素子２３は測定用光源１１及び角膜反射除去マスク２０と同期して光軸を中心に回動する。
【００２４】
（固視標光学系）  ３０はミラ−、３１は光軸上を移動可能な第１リレ−レンズで、第１リレ−レンズ３１は光軸上を移動することによって被検眼の雲霧を行う。３２は第２リレ−レンズ、３３は第２リレ−レンズ３２の焦点位置に配置されている固視標、３４は集光レンズ、３５は照明ランプである。
【００２５】
（アライメント指標投影光学系）  アライメント指標投影光学系は、視軸方向から指標を投影する第１指標投影光学系と第１指標投影光学系に対してある角度の光軸をもつ第２指標投影光学系とから構成される。
【００２６】
第１指標投影光学系は次の構成を持つ。３６は赤外光の光を出射する点光源であり、点光源３６はビ−ムスプリッタ１４を介して投影レンズ１５の前側焦点位置に配置されている。点光源３６を出射した光束は投影レンズ１５により平行光束となり、被検眼Ｅの角膜反射により点光源像を作る。
【００２７】
４０は第２指標投影光学系であり、測定光軸を中心として４組（４０ａ〜４０ｄ）の投影光学系が測定光軸に対し所定の角度で配置されている。図４は第２指標投影光学系４０を被検者側から見た図である。投影光学系４０ａ，４０ｂは、赤外光の光を出射する点光源４１ａ，４１ｂとコリメ−ティングレンズ４２ａ，４２ｂをそれぞれ持ち、被検眼Ｅに対して斜め上方向から無限遠の指標を投影する。投影光学系４０ｃ，４０ｄは赤外光の光を出射する点光源４１ｃ，４１ｄを持ち、被検眼Ｅに対して斜め下方向から有限遠の指標を投影する。これら投影光学系４０ａ〜４０ｄによる角膜反射像は被検眼の角膜周辺に形成される。このため、その反射光が測定光学系の検出領域に回り込むことがなく、角膜反射光除去の対策（受光系の共役な位置に絞りを設ける等）を施さなくても測定系への影響が避けられる。
【００２８】
（観察光学系およびアライメント指標検出光学系）  被検眼前眼部からの光束は、ビ−ムスプリッタ１６で反射された後、対物レンズ４５、ミラ−４６、テレセントリック絞り４７を介してＣＣＤカメラ４８に撮像される。ＣＣＤカメラ４８に撮像された被検眼Ｅの前眼部像、及び４つの光源４１と光源３６の角膜反射像は、ＴＶモニタ６に映し出される。また、ＣＣＤカメラ４８に撮像された角膜反射像の位置により、アライメント状態が検出される。
【００２９】
図５は装置の制御系の要部構成を示す図である。ＣＣＤカメラ４８からのビデオ信号は、Ａ／Ｄ変換器６１によりデジタル化され、タイミングジェネレ−タ６２の信号に同期してフレ−ムメモリ６３に取り込まれる。フレ−ムメモリ６３に取り込まれた画像は、Ｄ／Ａ変換回路６４、画像合成回路６５を介してＴＶモニタ６にリアルタイムに映出される。
【００３０】
６６はフレ−ムメモリ６３に取り込まれた画像に所定の処理を施してアライメント指標像を検出する画像処理回路であり、マイクロコンピュ−タ６０は画像処理回路６６からの信号により指標像の座標位置を得る。
【００３１】
６７はＴＶモニタ６上に表示するレチクルマ−クや図形、文字情報等を生成するための表示回路である。表示回路６７は所定のキャラクタを記憶するＩＣチップを持つ。表示回路６７からの信号は合成回路６５によりＣＣＤカメラ４８からの映像信号と合成され、ＴＶモニタ６に映出される。６８はＡ／Ｄ変換器、受光素子２３からの信号はＡ／Ｄ変換器６８によりデジタル化された後、検出処理回路６９により所定の処理が施されてマイクロコンピュ−タ６０に入力される。
【００３２】
７０は測定用光源１１を駆動するドライバ、７１は固視標照明ランプ３５を駆動するドライバ、７２は光源３６を駆動するドライバ、７３は光源４１ａ〜４１ｄを駆動するドライバである。７４は測定用光源１１、角膜反射除去マスク２０及び受光素子２３を回転するパルスモ−タであり、７５はそのドライバである。７６は測定用タ−ゲット板１３及び移動レンズ２１を移動するＤＣモ−タであり、７７はそのドライバである。７８は測定用タ−ゲット板１３の移動位置を検出するポテンショメ−タであり、７９はポテンショメ−タ７８からの信号に所定の処理を施す検出処理回路である。
【００３３】
１００は測定部４を本体部３に対して左右方向に移動させるＸ駆動系であり、スライド機構やモ−タ、モ−タの駆動回路等から構成される。１０１は測定部４を本体部３に対して上下方向に移動させるＹ駆動系であり、スライド機構やモ−タ、モ−タの駆動回路等から構成される。１０２、１０３は本体部３に対する右方向及び左方向の移動限界をそれぞれ検出するリミットスイッチであり、１０４、１０５は本体部３に対する上方向及び下方向の移動限界をそれぞれ検出するリミットスイッチである。
【００３４】
１０６は手動アライメントと自動アライメントのモ−ドを選択アライメントモ−ド切換スイッチ、１０７は自動測定スタ−トにより測定結果が所定の数になるまで連続して測定を可能にする連続測定モ−ドスイッチである。
【００３５】
以上のような装置における動作を説明する。ここでは自動アライメントのモ−ドを選択した場合について説明する。
【００３６】
検者は顔固定ユニット２に被検者の顔を位置させて被検眼を固定する。その後、ＴＶモニタ６に映出される角膜反射の視標像やレチクルマ−クを観察しながら、ジョイスティック５等の操作により粗いアライメントを行う。図６はアライメント時の画面例であり、８０は前眼部像、８１は表示回路６７により電気的に形成されたレチクルマ−クである（レチクルマ−クは光学的に形成するようにしても良い）。８２は角膜中心の反射により形成された第１指標投影光学系の光源３６の指標像であり、８３ａ〜８３ｄは第２指標投影光学系４０の点光源４１ａ〜４１ｄの角膜反射による指標像である。検者はジョイスティック５の操作により本体部３を前後左右に移動し、また回転ノブ５ａの操作により測定部４を本体部３に対して上下に移動して、前眼部像８０の中央付近に位置する視標像８２が照準マ−ク８１に向かうようにアライメント調整を行う（必要により、顎台２ａの高さ位置も調節する）。
【００３７】
ＣＣＤカメラ４８に５つの視標像が捉られるようになると、ＸＹ方向の自動アライメントが可能な状態になる。マイクロコンピュ−タ６０は画像処理回路６６からの信号により検出される５つの指標像の内、中央に位置する指標像８２を抽出処理し、被検眼に対する測定部４（測定光学系）のＸＹ方向のアライメント状態を検知して、光軸からの指標像８２のＸ方向及びＹ方向のそれぞれの偏位量を得る。この偏位情報に基づき、マイクロコンピュ−タ６０はＸ駆動系１００及びＹ駆動系１０１を作動させる。Ｘ駆動系１００、Ｙ駆動系１０１の作動により測定部４が移動されると、角膜中心からの指標像８２がＣＣＤカメラ４８の撮像素子上を移動するので、マイクロコンピュ−タ６０は逐次その偏位量を得る。マイクロコンピュ−タ６０は得られた偏位が所定の許容範囲に入ったか否かを判定し、所定の許容範囲に入ったと判定すると、Ｘ駆動系１００、Ｙ駆動系１０１の作動を停止してＸＹ方向のアライメントを完了する。
【００３８】
視標像８２がアライメント完了の所定の許容範囲に入らないまま、ＸＹ方向の各リミットスイッチ１０２〜１０５のいずれかにより測定部４が移動限界に達したことが検出されると、マイクロコンピュ−タ６０は検出信号の入力に基づき表示回路６７に指令を行い、本体部３又は顎台２ａの移動すべき方向を検者に報知するためのインジケ−タをＴＶモニタ６上に表示する。図７の（ａ）は検者から向かって右リミットになったときの表示例、（ｂ）は左リミットになったときの表示例、（ｃ）は下リミットになったときの表示例、（ｄ）は上リミットになったときの表示例をそれぞれ示す。レチクルマ−ク８１のすぐ横の両側には、それぞれ移動すべき方向を示す右矢印のインジケ−タ９０ａ、左矢印のインジケ−タ９０ｂ、上矢印のインジケ−タ９０ｃ、下矢印のインジケ−タ９０ｄが表示される。右矢印又は左矢印のインジケ−タが表示されたときは、検者はジョイスティック５の操作により本体部３を固定台１に対して表示された矢印の方向へ移動して測定部４の移動限界を解除する。上矢印又は下矢印のインジケ−タが表示されたときは、顎台ノブ２ｂを回すことにより顎台２ａを表示された矢印の方向へ移動して測定部４の移動限界を解除する。このように、移動指示のインジケ−タはレチクルマ−ク８１の近傍に表示されるので、検者は視線をずらすことなくアライメントに集中しやすい。移動指示の表示に気付きやすく、必要な処置を即座に取ることができる。また、インジケ−タ９０ａ〜９０ｄの表示はＩＣチップに記憶さている所定のキャラクタを使用しているので、装置のハ−ド設計やソフト設計を簡略化でき、さらに表示スピ−ドも向上させることができる。
【００３９】
自動アライメントによるＸＹ方向のアライメントが完了したら、検者はジョイスティック５を操作して被検眼に対して測定部４を前後させ、作動距離のアライメント調整を行う。装置は第２指標投影光学系による指標像を検出することにより、作動距離のアライメント状態を判定する。
【００４０】
作動距離のアライメント状態の判定につい説明する。マイクロコンピュ−タ６０は、画像処理回路６６により処理されて得られる指標像８３ａと８３ｂとの距離、指標像８３ｃと８３ｄとの距離をそれぞれ求める。指標像８３ａ、８３ｂは光学的に無限遠距離にある光源の像であるので、装置が作動距離方向にずれていても指標像８３ａと８３ｂとの距離は、ほとんど変化しない。これに対して、指標像８３ｃ、８３ｄは光学的に有限距離にある光源の像であるので、装置の作動距離方向のずれによりその距離は変化する（この関係の詳細は本出願人による特開平６−４６９９９号に記載されているので、参照されたい）。
【００４１】
これらの関係の特性を利用して、指標像８３ａと８３ｂとの距離をａ、指標像８３ｃと８３ｄとの距離をｂとし、被検眼と装置との作動距離を、ｂ／ａ＝Ｓとなるよう設定すると（Ｓはアライメント精度との関係により設定される幅を持った値である）、次のようにして作動距離のアライメント状態を検出できる。
（イ）ｂ／ａ＞Ｓの場合は、被検眼が手前にずれている。
（ロ）ｂ／ａ＝Ｓの場合は、作動距離の位置合わせが完了。
（ハ）ｂ／ａ＜Ｓの場合は、被検眼が後方にずれている。
【００４２】
また、作動距離のずれ量も、図８に示すようなｂ／ａの値との関係の情報を予め求めておくことにより、知ることができる。
【００４３】
マイクロコンピュ−タ６０は、この作動距離のアライメント状態の情報に基づき表示回路６７に指令を行い、測定部４を移動すべき方向を検者に報知するインジケ−タをＴＶモニタ６上に表示する。図９はその表示例である。（ａ）は被検眼が手前にずれているときであり、斜め下矢印のインジケ−タ９１がレチクルマ−ク８１のすぐ横の両側に表示され、これは被検眼に対して本体部３とともに測定部４を後ろ側（遠ざける方向）に移動する旨を意味している。（ｂ）は被検眼が後方にずれているときであり、斜め上矢印のインジケ−タ９２がレチクルマ−ク８１のすぐ横の両側に表示される。これは被検眼に対して測定部４を前側（近付ける方向）に移動する旨を意味している。（ｃ）は作動距離の位置合わせが完了しているときであり、横バ−のインジケ−タ９３がレチクルマ−ク８１のすぐ横の両側に表示される。これらのインジケ−タ９１〜９３の表示もＩＣチップに記憶さている所定のキャラクタを使用している。なお、作動距離のアライメント調整の被検者への報知は、音声又は予め約束された音の変調等により行うようにしても良い。
【００４４】
検者はこのような作動距離のアライメントの指示に従い、ジョイスティック５を操作して本体部３を前後に移動することにより、作動距離方向のアライメント調整を完了させる。マイクロコンピュ−タ６０は、作動距離及び左右方向のアライメント状態の判定に基づき所定のアライメント状態になると自動的にトリガ信号を発して測定を開始する（以下、これをＡＵＴＯ測定という）。測定用光源１１を出射した測定光束は、集光レンズ１２、タ−ゲット板１３、ビ−ムスプリッタ１４、投影レンズ１５、ビ−ムスプリッタ１６を経て、被検眼Ｅの角膜近傍に集光した後、眼底に到達する。正常眼の場合、眼底で反射したタ−ゲット像は、ビ−ムスプリッタ１７で反射し、リレ−レンズ１８、１９を通過後、結像レンズ２２によって受光素子２３上で結像する。被検眼に屈折異常がある場合は、受光素子２３で受光した眼底反射光の受光信号に基づき、マイクロコンピュ−タ６０はＤＣモ−タ７６を駆動して移動レンズ２１とともにタ−ゲット板１３を被検眼Ｅの眼底と共役な位置にくるように移動する。
【００４５】
次に、第１リレ−レンズ３１を移動して固視標３３と被検眼Ｅの眼底とを共役な位置においた後、さらにこれを適当なディオプタ分だけ雲霧がかかるようにこれを移動させる。被検眼Ｅに雲霧がかかった状態で、測定用光源１１、角膜反射除去マスク２０及び受光素子２３を光軸回りに１８０度回転させる。回転中、受光素子２３からの信号によりタゲット板１３及び移動レンズ２１が移動し、その移動量をポテンショメ−タ７８が検出して各径線方向の屈折力値を求める。マイクロコンピュ−タ６０は、この屈折力値に所定の処理を施すことによって被検眼の屈折力を得る。
【００４６】
測定が終了すると、マイクロコンピュ−タ６０は、第１及び第２指標投影光学系による指標像の検出に基づいて、再度所定のアライメント状態にあるか否かを確認する（この確認は測定中に被検眼の移動に追従するオ−トトラッキングを行なわない時にとくに効果がある。）。上下左右方向又は作動距離方向のアライメント状態のいずれかが、所定の許容範囲から外れているときは、測定中に被検眼のアライメントずれが生じているものと判断されるので、得られた測定結果を不採用にしてＴＶモニタ６にはエラ−表示をする。エラ−表示のときは測定をやり直す。これにより、測定開始後のアライメントずれによる不正確な測定結果の採用を防止できる。とくに自動的にトリガ信号を発して測定を開始する機構の場合には、意図せずに一瞬だけアライメント状態が完了して測定が実行されやすいが、本装置ではこのような信頼性の低い測定結果を誤って採用することをなくすことができる。なお、アライメントずれのチェックは測定中（とくに本測定開始時）も行うようにすると、より確実にするこができる。測定終了後のアライメント状態の確認により適正であったならば、測定結果がＴＶモニタ６に表示される。
【００４７】
なお、測定終了後（本測定開始時）のアライメント状態の確認において、作動距離方向のアライメントずれについては図８で示したようにそのずれ量が分かるので、このずれ量に基づいて測定結果を補正するようにしても良い。この場合の補正は次のように行う。測定により得られた屈折力値をＤｘ  （ディオプタ）、測定を終了したときの適正位置から作動距離のずれ量をｘ（ｍｍ）、適正作動距離における被検眼の真の屈折力度数の焦点距離をＦ（ｍｍ）とすると、
１０００／（Ｆ＋ｘ）＝Ｄｘ
と表すことができる。この式から焦点距離をＦを求め、これを屈折力に換算することにより補正した屈折力値を得ることができる。
【００４８】
同一被検眼で測定を複数回行う連続測定モ−ドであるときは、ＡＵＴＯ測定が連続的に行われる。前測定のアライメントずれの確認結果を利用してアライメントずれがない場合に次の測定を実行するようにしてもよい。連続的なＡＵＴＯ測定は予め設定された回数（例えば、３回）の測定結果が得られるまで行われる。この場合、複数得られた測定結果の平均値と標準偏差を求め、標準偏差が所定値から外れているものは除外してさらに続けて測定を行う等の処置を施すと、より信頼性の高い測定結果が得られる。所定の数の測定結果が得られると、マイクロコンピュ−タ６０はトリガ信号の発生を禁止してアライメントが完了状態になってもＡＵＴＯ測定が行われないようにする。
【００４９】
トリガ信号の発生を禁止した後も、装置はアライメント指標の検出を行い、所定の時間（例えば、１秒）の間、継続して指標像が検出されていないか否かを監視する。一時的な時間ではなく、所定の時間の間継続して視標像が検出されないときは、被検眼が固定位置から取り除かれたか、あるいは測定する被検眼の左右が変わった等で一旦測定が終了したとものとみなすことができるので、装置は再びトリガ信号の発生を可能な状態にする（トリガ信号の発生の禁止を解除する）。これにより、所定数の測定結果が得られた後に同一被検眼で再度測定を繰り返す必要が生じたときでも、一旦被検眼から測定部４を離してから再度アライメントをすることで、測定開始スイッチ７の操作をすることなく連続的なＡＵＴＯ測定を可能にすることができる。このようにＡＵＴＯ測定のモ−ドでは、常に測定開始スイッチ７を押さなくてすむので、検者は測定に集中することができる。また、測定開始スイッチ７を使用しなくも測定を再開できるので、測定開始スイッチ７の配線による電気的なトラブル（可動するジョイスティックの内部に配線を施すことによる断線等のトラブル）を避けることができる。さらには、測定開始スイッチ７自体を不要にして、装置の製造コストを低くすることもできる。
【００５０】
なお、継続して指標像が検出されていないか否かを監視する所定の時間は、被検眼の瞬きや一時的な視線ずれの時間より長く取るようにしておくと、これらによる意図しない不要なＡＵＴＯ測定の再開を避けることができる。
【００５１】
【発明の効果】
以上説明したように、本発明によれば、予め設定された測定回数が終了した後にも、スイッチ操作をすることなく自動的に測定を開始することができる。
【図面の簡単な説明】
【図１】実施例の装置の外観概略図を示す図である。
【図２】ジョイスティック機構を示す図である。
【図３】実施例の装置の光学系を上から見たときの概略配置図である。
【図４】第２指標投影光学系４０を被検者側から見た図である。
【図５】装置の制御系の要部構成を示す図である。
【図６】アライメント時の画面例を示す図である。
【図７】本体部３又は顎台２ａの移動すべき方向のインジケ−タがＴＶモニタ上に表示された表示例を示す図である。
【図８】作動距離のずれ量の検出を説明する図である。
【図９】作動距離方向における測定部４を移動すべき方向のインジケ−タがＴＶモニタ上に表示された表示例を示す図である。
【符号の説明】
４  測定部
１１  測定用光源
２３  受光素子
３６  第１アライメント光源
４０  第２指標投影光学系
４８  ＴＶカメラ
６０  マイクロコンピュ−タ
６６  画像処理回路
１０７  連続測定モ−ド切換スイッチ
【図１】
0003630864.tif 000002
【図２】
0003630864.tif 000003
【図３】
0003630864.tif 000004
【図４】
0003630864.tif 000005
【図６】
0003630864.tif 000006
【図５】
0003630864.tif 000007
【図７】
0003630864.tif 000008
【図８】
0003630864.tif 000009
【図９】
0003630864.tif 000010